(57)【特許請求の範囲】
【請求項１】
移動通信端末のネットワークへの接続を制御し、該ネットワークと異なる他のネットワークへのリダイレクションの指示を行う無線制御装置が実行する無線制御方法であって、
前記移動通信端末からの位置登録の接続要求に応じて割り当てられる識別子を、前記リダイレクションの指示の抑止対象として登録する登録段階と、
前記識別子が抑止対象として登録されてから所定の時間が経過したとき、該識別子の抑止対象としての登録を削除する削除段階と、
抑止対象として登録されている前記識別子を有する移動通信端末からの前記ネットワークへのパケット交換接続の接続要求を受け入れる接続段階と、
抑止対象として登録されていない前記識別子を有する移動通信端末からの前記ネットワークへのパケット交換接続の接続要求に対し、前記リダイレクションの指示を行う指示段階と、
を有する、無線制御方法。
【請求項２】
前記登録段階において、前記識別子は、前記移動通信端末がアイドル状態となったとき、抑止対象として登録される、
請求項１に記載の無線制御方法。
【請求項３】
前記識別子は、前記移動通信端末が回線交換方式で前記ネットワークに接続する場合に用いられる第１ユーザ識別子、又は、前記移動通信端末がパケット交換方式で前記ネットワークに接続する場合に用いられる第２ユーザ識別子であり、
前記登録段階において、
前記移動通信端末が回線交換方式及びパケット交換方式で前記ネットワークに接続可能である場合には、前記第１ユーザ識別子が抑止対象として登録され、
前記移動通信端末がパケット交換方式でのみ前記ネットワークに接続可能である場合には、抑止対象として前記第２ユーザ識別子が抑止対象として登録される、
請求項１又は２に記載の無線制御方法。
【請求項４】
前記ネットワークは、回線交換機及びパケット交換機を有するコアネットワークに接続され、
前記回線交換機によって割り当てられた前記第１ユーザ識別子を、前記パケット交換機を介して、前記回線交換機から受信する受信段階
をさらに有する、請求項３に記載の無線制御方法。
【請求項５】
前記ネットワークは、パケット交換機を有するコアネットワークに接続され、
前記パケット交換機によって割り当てられた前記第２ユーザ識別子を、前記パケット交換機から受信する受信段階
をさらに有する、請求項３に記載の無線制御方法。
【請求項６】
移動通信端末のネットワークへの接続を制御し、該ネットワークと異なる他のネットワークへのリダイレクションの指示を行う無線制御装置であって、
前記移動通信端末からの位置登録の接続要求に応じて割り当てられる識別子を、前記リダイレクションの指示の抑止対象として登録する登録部と、
前記識別子が抑止対象として登録されてから所定の時間が経過したとき、該識別子の抑止対象としての登録を削除する削除部と、
抑止対象として登録されている前記識別子を有する移動通信端末からの前記ネットワークへのパケット交換接続の接続要求を受け入れ、かつ、抑止対象として登録されていない前記識別子を有する移動通信端末からの前記ネットワークへのパケット交換接続の接続要求に対し、前記リダイレクションの指示を行う制御部と、
を有する、無線制御装置。
【請求項７】
コンピュータに、請求項１に記載の無線制御方法を実行させるプログラム。
【発明の詳細な説明】
【技術分野】
【０００１】
本発明は、無線制御方法、無線制御装置及びプログラムに関する。
【背景技術】
【０００２】
近年、無線通信システムにおける無線アクセスネットワークとして、3GPP（3rd Generation Partnership Project）において仕様化された、UTRA（Universal Terrestrial Radio Access）が導入されている（例えば、非特許文献１）。また、通信速度を向上させたE-UTRA（Evolved Universal Terrestrial Radio Access）も導入されている（例えば、非特許文献２）。
【０００３】
移動機の接続する無線アクセスネットワークを切り替える処理のことを、RAT（Radio Access Technology）切替制御と呼ぶ。特に、UTRA方式及びE-UTRA方式の両方に対応した移動機が、一方の無線アクセスネットワーク（UTRAN又はE-UTRAN）に接続したとき、他方のネットワークに接続を切り替えることを、リダイレクションと呼ぶ。リダイレクションは、通常、無線アクセスネットワーク側からの指示に基づき、実行される。非特許文献３では、移動機が、UTRAN側からRRC Connection Reject with Redirectionを送信し、UTRANからE-UTRANへと接続を切り替える方法を規定している。
【０００４】
移動機が、UTRAN側からE-UTRANへのリダイレクションの指示を受け、E-UTRANに接続を試みたとき、パケット接続先アドレス誤りによる接続拒否や、E-UTRAN無線基地局での接続数制限による接続拒否等により、さらにUTRANへRAT切替指示が行われることがある。移動機は、この指示に応じて、UTRANに再接続する。しかしながら、移動機は、UTRAN側から、さらにE-UTRANへのリダイレクションの指示を受け、E-UTRANへの接続の拒否が繰り返されるという問題がある。
【０００５】
特許文献１は、移動機による、UTRANからE-UTRANへのリダイレクションが失敗した場合に、移動機の設定を変更し、接続失敗が繰り返されないようにする技術を開示している。また、特許文献２は、リダイレクションの指示を送信可能な間隔を設けることにより、移動機によるUTRANからE-UTRANへのリダイレクションが失敗した場合に、再度のリダイレクション指示による接続失敗が繰り返されないようにする技術を開示している。
【先行技術文献】
【特許文献】
【０００６】
【特許文献１】特開２０１１−１４２５４５号公報
【特許文献２】特開２０１１−１５１６１０号公報
【非特許文献】
【０００７】
【非特許文献１】３ＧＰＰ技術仕様書 ＴＳ２１．１０１
【非特許文献２】３ＧＰＰ技術仕様書 ＴＳ３６．３００
【非特許文献３】３ＧＰＰ技術仕様書 ＴＳ２５．３３１
【発明の概要】
【発明が解決しようとする課題】
【０００８】
しかしながら、特許文献１に記載の技術では、UTRANからE-UTRANへのリダイレクションが失敗した後、UTRAN側から再度のリダイレクションの指示を受けた場合に、再度のリダイレクションの指示に従わない処理をいつまで続けるべきかを決定することができなかった。その結果、例えば、UTRAN側からの最初のRRC Connection設定時のみリダイレクション指示に従わないとした場合、そのRRC Connection設定が位置登録のためのRRC Connection設定であると、次のRRC Connection設定がPS(パケット交換)発信であればリダイレクション指示されてしまう。その結果、依然としてPS接続が失敗するという問題があった。また、上記のような処理を既存の移動機が実行するために、移動機のファームウェアの更新作業等が必要となり、ファームウェアの提供者やユーザに負担を強いるという問題もあった。
【０００９】
また、特許文献２に記載の技術では、仮にユーザ識別子を用いてリダイレクションの指示を抑制させても、UTRANからE-UTRANへのリダイレクションが失敗した後、UTRAN側からの直後のRRC Connection設定で位置登録がされると、ユーザ識別子が変更されてしまう。その結果、次のRRC Connection設定では、移動機が新しいユーザ識別子を通知することとなり、依然としてリダイレクションの指示が送信されてしまうという問題があった。
【００１０】
本発明は、上記問題に鑑みてなされたものであり、無線アクセスネットワーク間におけるリダイレクションの指示を効率的に制限できるようにすることを目的とする。
【課題を解決するための手段】
【００１１】
上記課題を解決するため、本発明の一実施形態における無線制御方法は、
移動通信端末のネットワークへの接続を制御し、該ネットワークと異なる他のネットワークへのリダイレクションの指示を行う無線制御装置が実行する無線制御方法であって、
前記移動通信端末からの位置登録の接続要求に応じて割り当てられる識別子を、前記リダイレクションの指示の抑止対象として登録する登録段階と、
前記識別子が抑止対象として登録されてから所定の時間が経過したとき、該識別子の抑止対象としての登録を削除する削除段階と、
抑止対象として登録されている前記識別子を有する移動通信端末からの前記ネットワークへのパケット交換接続の接続要求を受け入れる接続段階と、
抑止対象として登録されていない前記識別子を有する移動通信端末からの前記ネットワークへのパケット交換接続の接続要求に対し、前記リダイレクションの指示を行う指示段階と、
を有する。
【００１２】
また、本発明の一実施形態における無線制御装置は、
移動通信端末のネットワークへの接続を制御し、該ネットワークと異なる他のネットワークへのリダイレクションの指示を行う無線制御装置であって、
前記移動通信端末からの位置登録の接続要求に応じて割り当てられる識別子を、前記リダイレクションの指示の抑止対象として登録する登録部と、
前記識別子が抑止対象として登録されてから所定の時間が経過したとき、該識別子の抑止対象としての登録を削除する削除部と、
抑止対象として登録されている前記識別子を有する移動通信端末からの前記ネットワークへのパケット交換接続の接続要求を受け入れ、かつ、抑止対象として登録されていない前記識別子を有する移動通信端末からの前記ネットワークへのパケット交換接続の接続要求に対し、前記リダイレクションの指示を行う制御部と、
を有する。
【００１３】
また、本発明の一実施形態におけるプログラムは、コンピュータに、上記の無線制御方法を実行させる。
【発明の効果】
【００１４】
本発明の一実施形態によれば、無線アクセスネットワーク間におけるリダイレクションの指示を効率的に制限できる。
【図面の簡単な説明】
【００１５】
【図１】本発明の実施の一形態に係る無線通信システムを示す図。
【図２】本発明の実施の一形態に係る無線制御装置の機能ブロックを示す図。
【図３】本発明の実施の一形態に係るパケット交換（PS）接続シーケンスを示す図。
【図４】本発明の実施の一形態に係るRRC Connection Reject with Redirection抑止対象管理処理フローを示す図。
【図５】本発明の実施の一形態に係るパケット交換（PS）接続処理フローを示す図。
【図６】本発明の実施の一形態に係る無線制御装置及びUTRAN無線基地局の機能ブロックを示す図。
【図７】本発明の実施の一形態に係るパケット交換（PS）接続シーケンスを示す図。
【図８】本発明の実施の一形態に係るRRC Connection Reject with Redirection抑止対象管理処理フローを示す図。
【図９】本発明の実施の一形態に係るパケット交換（PS）接続処理フローを示す図。
【図１０】本発明の実施の一形態に係るE-UTRAN無線基地局の機能ブロックを示す図。
【図１１】本発明の実施の一形態に係るパケット交換（PS）接続シーケンスを示す図。
【図１２】本発明の実施の一形態に係るRRC Connection Reject with Redirection抑止対象管理処理フローを示す図。
【図１３】本発明の実施の一形態に係るパケット交換（PS）接続処理フローを示す図。
【発明を実施するための形態】
【００１６】
以下、添付図面を参照しながら実施例を説明する。図中、同様な要素には同じ参照番号又は参照符号が付されている。
【００１７】
１．無線通信システムの概略
２．無線制御装置の機能
３．動作例
４．変形例
４．１  変形例１
４．２  変形例２
【００１８】
≪    １．無線通信システムの全体概略構成    ≫
図１は、本実施形態に係る無線通信システム１の概略図である。図１に示されるように、無線通信システム１は、コアネットワーク１０と、UTRAN１００と、E-UTRAN２００と、移動機（移動通信端末）３００とを含む。コアネットワーク１０は、UTRAN対向パケット交換機２０と、回線交換機３０と、E-UTRAN対向パケット交換機４０とを含む。UTRAN１００は、無線制御装置１１０と、UTRAN無線基地局１２０とを含む。E-UTRAN２００は、E-UTRAN無線基地局２１０を含む。
【００１９】
UTRAN無線基地局１２０及びE-UTRAN無線基地局２１０は、移動機３００との通信信号を送受信可能なエリアとして、セクタ４００をカバーする。セクタ４００では、互いにキャリア周波数の異なるUTRANセル４１０とE-UTRANセル４２０がオーバーレイされている。UTRAN無線基地局１２０は、UTRANセル４１０をカバーし、E-UTRAN無線基地局２１０は、E-UTRANセル４２０をカバーする。
【００２０】
UTRANセル４１０に在圏する移動機３００は、無線アクセス技術にUTRAを用い、UTRAN無線基地局１２０を通じて、UTRAN１００に接続する。E-UTRANセル４２０に在圏する移動機３００は、無線アクセス技術にE-UTRAを用い、E-UTRAN無線基地局２１０を通じて、E-UTRAN２００に接続する。
【００２１】
UTRAN対向パケット交換機２０と、回線交換機３０と、E-UTRAN対向パケット交換機４０とは互いに通信が可能であり、情報交換を行う。
【００２２】
UTRAN対向パケット交換機２０は、無線制御装置１１０に接続され、UTRAを用いたパケット交換（PS; Packet Switched）通信の接続時に、情報交換を行う。回線交換機３０は、無線制御装置１１０に接続され、UTRAを用いた回線交換（CS; Circuit Switched）通信の接続時に情報交換を行う。E-UTRAN対向パケット交換機４０は、E-UTRAN無線基地局２１０に接続され、E-UTRAを用いたパケット交換（PS）通信の接続時に、情報交換を行う。
【００２３】
無線制御装置１１０は、UTRAN無線基地局１２０と移動機３００との間において、UTRAを用いた無線通信に関する制御を実行し、UTRAN無線基地局１２０及び移動機３００は、UTRAを用いた無線通信を実行する。一方、E-UTRAN無線基地局２１０及び移動機３００は、E-UTRAを用いた無線通信を実行する。ここで、E-UTRAN無線基地局２１０は、当該無線通信に関する制御も実行する。
【００２４】
無線制御装置１１０は、UTRAを用いた無線通信を実行する移動機３００に対し、E-UTRAを用いた無線通信を実行するよう指示するRAT切替制御（リダイレクション）も行う。一方、E-UTRA無線基地局２１０は、E-UTRAを用いた無線通信を実行する移動機３００に対し、UTRAを用いた無線通信を実行するよう指示するRAT切替制御（リダイレクション）を行うこともできる。
【００２５】
≪    ２．無線制御装置の機能    ≫
図２は、本発明の一実施形態に係る無線制御装置１１０の機能ブロック図である。なお、以下、本発明と関連する部分について主に説明する。したがって、無線制御装置１１０は、無線制御装置１１０としての機能を実現する上で必須な、図示しない或いは説明を省略したブロック（電源部など）を備えることに留意されたい。
【００２６】
図２に示すように、無線制御装置１１０は、通信部１１１と、通信部１１３と、制御部１１５と、格納部１１７と、管理部１１８とを備える。
【００２７】
通信部１１１は、UTRAN対向パケット交換機２０及び回線交換機３０を介した通信を実行するための通信インタフェースを提供する。
【００２８】
通信部１１３は、UTRAN無線基地局１２０との通信を実行するための通信インタフェースを提供する。
【００２９】
格納部１１７は、制御部１１５から受け取ったユーザ識別子を格納する。格納されたユーザ識別子は、リダイレクション（RRC Connection Reject with Redirection）抑止対象（以下、「抑止対象」とする）として格納される。以下の説明では、格納部１１７に格納されたユーザ識別子は、抑止対象として登録されたユーザ識別子であるものとして扱う。すなわち、格納部１１７は、ユーザ識別子を抑止対象として管理するための登録部としての機能を有する。
【００３０】
管理部１１８は、格納部１１７に、抑止対象としてユーザ識別子が格納されると、当該ユーザ識別子用に一定時間のタイマを始動する。そして、管理部１１８は、タイマ満了時、すなわち、所定の時間の経過した後に、抑止対象としての当該ユーザ識別子を削除する。すなわち、管理部１１８は、ユーザ識別子が抑止対象として登録されてから、所定の時間経過後、そのユーザ識別子を削除する削除部としての機能を有する。
【００３１】
制御部１１５は、UTRAN無線基地局１２０と移動機３００との間のUTRAを用いた無線通信の制御、及び、UTRAを用いた無線通信を実行する移動機３００に対し、E-UTRAを用いた無線通信を実行するよう指示するRAT切替制御を行う。
【００３２】
より具体的には、制御部１１５は、移動機３００から、パケット交換（PS）接続を要求するRRC Connection Requestを通信部１１３経由で受信すると、当該RRC Connection Requestに含まれるユーザ識別子が、格納部１１７に抑止対象として登録されているか確認する。そして、登録されていない場合、E-UTRANセル４２０のキャリア周波数へのリダイレクションを指示するため、RRC Connection Reject with Redirectionを、通信部１１３経由で移動機３００へ送信する。これにより、移動機３００に対して、E-UTRAを用いた無線通信を実行するRAT切替指示がなされる。
【００３３】
当該RAT切替指示を受けた移動機３００は、E-UTRAN２００経由で、E-UTRAN対向パケット交換機４０に、位置登録を試みる。このとき、移動機３００は、パケット接続先アドレス誤りによる接続拒否や、E-UTRAN無線基地局２１０での接続数制限による接続拒否により、E-UTRAN無線基地局２１０から、UTRAを用いた無線通信を実行するようRAT切替指示が行われる可能性がある。当該RAT切替指示を受けた移動機３００は、UTRAN１００経由で位置登録を行う。
【００３４】
当該位置登録の手順において、UTRAN対向パケット交換機２０や回線交換機３０は、移動機３００に対して、テンポラリなユーザ識別子を割り当てる。パケット交換機２０がPS用のユーザ識別子を、回線交換機３０がCS用のユーザ識別子を割り当てる。
【００３５】
ここで、移動機３００が、契約により、CS方式及びPS方式の両方式による接続が可能である場合には、移動機３００の位置登録時に、回線交換機３０が割り当てるCS用のユーザ識別子が、抑止対象として無線制御装置１１０に通知される。このとき、CS用のユーザ識別子は、UTRAN対向パケット交換機２０を介して、回線交換機３０から無線制御装置１１０へ通知される。また、移動機３００には、無線制御装置１１０を透過して、CS用、PS用双方のユーザ識別子が通知される。
【００３６】
一方、移動機３００がPS方式でのみ接続可能である場合には、移動機３００のPS単独位置登録時に、パケット交換機２０が割り当てるPS用のユーザ識別子が、抑止対象として無線制御装置１１０に通知される。このとき、PS用のユーザ識別子は、UTRAN対向パケット交換機２０から、直接、無線制御装置１１０へ通知される。また、移動機３００にも、無線制御装置１１０を介して、PS用のユーザ識別子が通知される。
【００３７】
なお、CS方式及びPS双方の契約を持つ移動機３００に対しては、パケット交換機２０はPS用のユーザ識別子を無線制御装置１１０へ通知しない（移動機３００へは無線制御装置１１０を透過して通知する）。PSのみの契約を持つ移動機３００に対しては、パケット交換機２０はPS用のユーザ識別子を無線制御装置１１０へ通知する（移動機３００へは無線制御装置１１０を透過して通知する）。これは、CS用、PS用双方のユーザ識別子が割り当てられた移動機３００は、UTRAのRRC Connection Requestにおいて、CS用のユーザ識別子を通知してくることに起因する。このようにすることで、CS及びPS双方の契約を持つ移動機３００に対してはCS用のユーザ識別子を、PSのみの契約を持つ移動機３００に対してはPS用のユーザ識別子を無線制御装置１１０へ登録させることが可能となる。
【００３８】
制御部１１５は、UTRAN対向パケット交換機２０や、回線交換機３０から、移動機３００に対して割り当てられた一時的な識別子を、通信部１１１経由で受信する。そして、制御部１１５は、移動機３００を、RRC_Connected状態からRRC_IDLE状態へ遷移させる際に、格納部１１７に当該ユーザ識別子を格納する。なお、RRC_Connected状態（接続状態）とは、基地局が当該移動機３００のために無線リソースを確保した状態であり、移動機３００は、いつでもデータ通信を開始することができる。一方、RRC_IDLE状態（アイドル状態）とは、基地局が当該移動機３００のために無線リソースを確保していない状態であり、移動機３００は、そのままではデータ通信を行うことができない。
【００３９】
制御部１１５は、RRC_IDLE状態となった移動機３００から、再びPS接続を要求するRRC Connection Requestを通信部１１３経由で受信すると、当該RRC Connection Requestで通知されるユーザ識別子が、格納部１１７に抑止対象として登録されているか問い合わせる。そして、登録されている場合、リダイレクションの指示（RRC Connection Reject with Redirectionの送信）を行わず、UTRAを用いてPS接続を行う。
【００４０】
≪    ３．動作例  ≫
次に、図３−図５を用いて、本発明の一実施形態に係る無線通信システム１の動作例を説明する。
【００４１】
≪    無線通信システム全体の動作    ≫
図３は、本発明の一実施形態に係る無線通信システム１における、パケット交換（PS）による接続シーケンスを示す図である。
【００４２】
まず、移動機３００は、無線制御装置１１０に、PS発信のRRC Connection Requestを通知する（ステップＳ１０１）。ここで、本実施例において、移動機３００は、CS及びPS双方の契約がなされている移動機である。当該RRC Connection Requestに対して、CS用ユーザ識別子Aが設定される。このCS用ユーザ識別子Aは、当該シーケンスよりも前の時点で、回線交換機３０から移動機３００へ、割り当てられたものである。また、移動機３００は、UTRA及びE-UTRA双方に対応した移動機である。
【００４３】
次に、PS発信のRRC Connection Requestを受信した無線制御装置１１０は、CS用ユーザ識別子Aが抑止対象として登録されているかを確認し（ステップＳ１０２）、登録されていないことを確認すると、移動機３００にRRC Connection Reject with Redirectionを送信する（ステップＳ１０３）。
【００４４】
E-UTRAへのRAT切替指示を受けた移動機３００は、E-UTRANへのRRC Connection設定及び位置登録を行う（ステップＳ１０４）。本実施例では、パケット接続先アドレス誤りによる接続拒否（位置登録Reject）により（ステップＳ１０５）、E-UTRAN無線基地局２１０とE-UTRAN対向パケット交換機４０との間のS1 Connectionが解放（切断）される。また、E-UTRAN無線基地局２１０と移動機３００との間のRRC Connectionも解放（切断）される。さらに、E-UTRAN無線基地局２１０から移動機３００に対してUTRAへのRAT切替指示が行われる（ステップＳ１０６）。
【００４５】
UTRAへのRAT切替指示を受けた移動機３００は、UTRANへのRRC Connection設定及び位置登録等の処理を行う（ステップＳ１０７−Ｓ１１２）。無線制御装置１１０は、位置登録のRRC Connection Requestに対して、RRC Connection Reject with Redirectionを実施しない。位置登録手順において、UTRAN対向パケット交換機２０は、回線交換機３０から新たに払い出されたCS用ユーザ識別子Bの通知を受け（ステップＳ１１３）、UTRAN対向パケット交換機２０は、無線制御装置１１０に抑止対象を登録するために、CS用ユーザ識別子Bを通知する（ステップＳ１１４）。
【００４６】
そして、位置登録の処理等が完了すると（ステップＳ１１５−Ｓ１１８）、CS用ユーザ識別子Bを受けた無線制御装置１１０は、RRC Connection解放と同時又は直後に、CS用ユーザ識別子Bを、抑止対象として登録し、タイマ設定する（ステップＳ１１９）。RRC Connectionが解放された移動機３００は、無線制御装置１１０に、再び、PS発信のRRC Connection Requestを通知する（ステップＳ１２０−Ｓ１２２）。当該RRC Connection Requestには、CS用ユーザ識別子Bが設定される。PS発信のRRC Connection Requestを受信した無線制御装置１１０は、CS用ユーザ識別子Bが抑止対象として登録されているかを確認し（ステップＳ１２３）、登録されていることを確認すると、移動機３００へRRC Connection Reject with Redirectionを実施せず、UTRAを用いてのPS発信手順を実施する（ステップＳ１２４）。
【００４７】
≪    抑止対象登録・削除    ≫
図４は、本発明の一実施形態における無線制御装置１１０が実行する、抑止対象管理処理の流れを示す図である。  
まず、無線制御装置１１０の通信部１１１は、UTRAN対向パケット交換機２０から通知されるユーザ識別子を受信する（ステップＳ２０１）。  
次に、無線制御装置１１０の制御部１１５は、RRC Connection解放時に、ステップＳ２０１で受信したユーザ識別子を格納部１１７に格納し、抑止対象として登録する（ステップＳ２０２）
次に、無線制御装置１１０の管理部１１８は、制御部１１５からの指示に応じて、ステップＳ２０２で登録した抑止対象のユーザ識別子に対し、タイマを設定する（ステップＳ２０３）。  
次に、無線制御装置１１０の管理部１１８は、ステップＳ２０３で設定したタイマが満了したかどうかを監視し、タイマが満了している場合に、ステップＳ２０５に進む。そうでない場合には、監視を継続する（ステップＳ２０４）。  
そして、無線制御装置１１０の管理部１１８は、ステップＳ２０２で登録したユーザ識別子を、抑止対象から削除する（ステップＳ２０５）。
【００４８】
≪    リダイレクションの抑止    ≫
図５は、本発明の一実施形態における無線制御装置１１０が実行する、パケット交換（PS）接続処理の流れを示す図である。  
まず、無線制御装置１１０の通信部１１３は、E-UTRA及びUTRA双方に対応した移動機３００から、PS接続を要求するRRC Connection Request信号を受信する（ステップＳ３０１）。  
次に、無線制御装置１１０の制御部１１５は、RRC Connection Requestで通知されるユーザ識別子が、抑止対象として登録されているか確認する（ステップＳ３０２）。
【００４９】
ステップＳ３０２の確認の結果，ステップＳ３０１で通知されたユーザ識別子が、抑止対象として登録されている場合には、ステップＳ３０４に進み，そうでない場合には、ステップＳ３０５に進む（ステップＳ３０３）。  
そして、無線制御装置１１０の制御部１１５は、RRC Connection Reject with Redirectionを抑止し、移動機３００に対してUTRAを用いてPS接続を実施する（ステップＳ３０４）。  
また、無線制御装置１１０の制御部１１５は、移動機３００に対して、RRC Connection Reject with Redirectionを実施し、E-UTRAへRAT切替を指示する（ステップＳ３０５）。
【００５０】
以上のように、本発明の一実施形態に係る無線制御装置１１０は、RRC Connection Reject with RedirectionによりE-UTRAへRAT切替指示後、E-UTRAN経由で位置登録を試みるも、パケット接続先アドレス誤りによる接続拒否やE-UTRAN無線基地局での接続数制限による接続拒否によりUTRAへRAT切替指示が行われても、同一移動機に対するRRC Connection Reject with Redirectionを一定時間抑止することができるため、パケット交換（PS）接続の失敗が継続する事象を回避することができる。
【００５１】
なお、図３−図５で示した手順は、コンピュータ上で動作するプログラムによって実行されてもよい。
【００５２】
≪    ４．変形例    ≫
次に、図６−図９及び図１０−図１３を用いて、本発明の変形例を説明する。以下で説明される変形例に係る無線通信システム１の構成は、図１に示した通りである。
【００５３】
≪    ４．１  変形例１  ≫
まず、図６−図９を用いて、変形例における無線通信システム１を説明する。本変形例では、リダイレクションの指示の抑制の対象となる移動機３００ユーザ識別子を、UTRAN無線基地局１２０に格納する。
≪    機能    ≫
図６は、本発明の変形例における無線通信システム１に含まれる、無線制御装置１１０とUTRAN無線基地局１２０の機能ブロック図である。図６の無線制御装置１１０は、図２の無線制御装置１１０と異なり、ユーザ識別子を格納する格納部１１７を有していない。代わりに、ユーザ識別子は、図６のUTRAN無線基地局１２０の格納部１２７に格納される。以下、機能ブロックを説明する。
【００５４】
本変形例における無線制御装置１１０は、通信部１１１、１１３と、制御部１１５と、管理部１１８を有する。
【００５５】
通信部１１１、１１３は、図２に示した通信部１１１、１１３と同様の機能を有する。
【００５６】
制御部１１５は、図２の無線制御装置１１０と同様に、移動機３００に対して割り当てられた一時的な識別子を受信すると、ユーザ識別子を、RRC Connection Reject with Redirection抑止対象として登録するように、UTRAN無線基地局１２０に指示する（以下、「ユーザ識別子の登録指示」と呼ぶ）。
【００５７】
また、制御部１１５は、図２の無線制御装置１１０と同様に、RRC_IDLE状態となった移動機３００から、再びRRC Connection Requestを受信すると、当該RRC Connection Requestで通知されるユーザ識別子が登録されているか、UTRAN無線基地局１２０に確認する（以下、「ユーザ識別子の登録確認」と呼ぶ）。そして、制御部１１５は、登録済であることを示す応答を受信すると、再度のリダイレクション指示を行わず、移動機３００とのRRC Connectionを確立する。
【００５８】
管理部１１８は、UTRAN無線基地局１２０から、上記のユーザ識別子の登録指示に対する応答を受信したことに応じてタイマを始動する。そして、管理部１１８は、タイマ満了時、すなわち、一定時間の経過した後に、抑止対象としての当該ユーザ識別子を削除するよう、UTRAN無線基地局１２０に指示する（以下、「ユーザ識別子の削除指示」と呼ぶ）。
【００５９】
本変形例におけるUTRAN無線基地局１２０は、通信部１２１、１２３と、制御部１２５と、格納部１２７を有する。
【００６０】
通信部１２１は、無線制御装置１１０を介した通信を実行するための通信インタフェースを提供する。
【００６１】
通信部１２３は、移動機３００と通信を実行するための通信インタフェースを提供する。
【００６２】
制御部１２５は、無線制御装置１１０から、ユーザ識別子の登録指示を受け取ると、格納部１２７に、ユーザ識別子を格納する。そして、正しく格納したことを表す応答を、無線制御装置１１０に返送する。
【００６３】
また、制御部１２５は、無線制御装置１１０から、ユーザ識別子の登録確認を受け取ると、格納部１２７を参照し、指定されたユーザ識別子が登録済であるかどうか確認する。そして、格納されている場合には、登録済であることを示す応答を、無線制御装置１１０に送信する。
【００６４】
また、制御部１２５は、無線制御装置１１０から、ユーザ識別子の削除指示を受け取ると、格納部１２７から、ユーザ識別子を削除する。そして、正しく削除したことを表す応答を、無線制御装置１１０に返送する。
【００６５】
≪    動作例    ≫
次に、図７を用いて、本変形例における無線通信システム１の動作例を表すシーケンス図を説明する。図７に示すステップのうち、ステップＳ１０は、図３に示すＳ１０のステップと同様の処理を行う。以下では、ステップＳ１０が実行された後の処理を説明する。
【００６６】
位置登録の処理の完了に伴い、CS用ユーザ識別子Bを受けた無線制御装置１１０は、RRC Connection解放（ステップＳ４０１）と同時又は直後に、CS用ユーザ識別子Bを、抑止対象として登録するように、UTRAN無線基地局１２０に指示する（ステップＳ４０２）。そして、応答を受け付けると、タイマを設定する（ステップＳ４０３）。
【００６７】
次に、移動機３００は、UTRAN無線基地局１２０を介して、無線制御装置１１０に、再び、PS発信のRRC Connection Requestを通知する（ステップＳ４０４、Ｓ４０５）。当該RRC Connection Requestには、CS用ユーザ識別子Bが設定される。RRC Connection Requestを受信した無線制御装置１１０は、RRC Connection Setupを移動機３００に送信する（ステップＳ４０６、Ｓ４０７）。RRC Connection Setupを受信した移動機は、RRC Connection Setup Completeを、無線制御装置１１０に送信する（ステップＳ４０８、Ｓ４０９）。
【００６８】
そして、無線制御装置１１０は、受け取ったCS用ユーザ識別子Ｂが、RRC Connection Reject with Redirection抑止対象として登録されているか、UTRAN無線基地局１２０に確認する（ステップＳ４１０）。そして、無線制御装置１１０は、UTRAN無線基地局１２０から、登録されている旨の応答を受け取ると（ステップＳ４１１）、PS接続を完了させる（ステップＳ４１２）。
【００６９】
次に、図８を用いて、本変形例において無線制御装置１１０が実行する、抑止対象管理処理の流れを示す図である。  
まず、無線制御装置１１０の通信部１１１は、UTRAN対向パケット交換機２０から通知されるユーザ識別子を受信する（ステップＳ５０１）。  
次に、無線制御装置１１０の制御部１１５は、RRC Connection解放時に、ステップＳ５０１で受信したユーザ識別子を、抑止対象として登録するよう、UTRAN無線基地局１２０に指示する（ステップＳ５０２）。  
次に、無線制御装置１１０の通信部１１３は、ステップＳ５０２で送信された指示に対する応答を、UTRAN無線基地局１２０から受け取る（ステップＳ５０３）。
【００７０】
次に、無線制御装置１１０の管理部１１８は、ステップＳ５０２で登録するよう指示したユーザ識別子に対し、タイマを設定する（ステップＳ５０４）。  
次に、無線制御装置１１０の管理部１１８は、ステップＳ５０４で設定したタイマが満了したかどうかを監視し、タイマが満了している場合に、ステップＳ５０６に進む。そうでない場合には、監視を継続する（ステップＳ５０５）。  
次に、無線制御装置１１０の管理部１１８は、ステップＳ５０２で登録するよう指示したユーザ識別子の抑止対象としての登録を削除するよう、UTRAN無線基地局１２０に指示する（ステップＳ５０６）。  
そして、無線制御装置１１０の制御部１１５は、ステップＳ５０６における指示に対する応答を受信する（ステップＳ５０７）。
【００７１】
図９は、本変形例において無線制御装置１１０が実行する、パケット交換（PS）接続処理の流れを示す図である。  
まず、無線制御装置１１０の通信部１１３は、E-UTRA及びUTRA双方に対応した移動機３００から、PS接続を要求するRRC Connection Request信号を受信する（ステップＳ６０１）。  
次に、無線制御装置１１０の制御部１１５は、ステップＳ６０１で通知されたユーザ識別子が、抑止対象として登録されているか、UTRAN無線基地局１２０に確認する（ステップＳ６０２）。
【００７２】
無線制御装置１１０の制御部１１５が、ステップＳ６０２の確認に対して、登録済みである旨の応答を受け取った場合には、ステップＳ６０４に進み，そうでない場合には、ステップＳ６０５に進む（ステップＳ６０３）。  
そして、無線制御装置１１０の制御部１１５は、RRC Connection Reject with Redirectionを抑止し、移動機３００に対してUTRAを用いてPS接続を実施する（ステップＳ６０４）。  
また、無線制御装置１１０の制御部１１５は、移動機３００に対して、RRC Connection Reject with Redirectionを実施し、E-UTRAへRAT切替を指示する（ステップＳ６０５）。
【００７３】
以上のように、本変形例における無線通信システム１では、UTRAN無線基地局１２０の格納部にユーザ識別子を格納することにより、RRC Connection Reject with Redirectionを送信した移動機を識別し、再度のRRC Connection Reject with Redirectionの発行を一定時間抑止することができる。
【００７４】
≪    ４．２  変形例２  ≫
次に、図１０−図１３を用いて、他の変形例に係る無線通信システム１を説明する。本変形例では、上述した例とは異なり、E-UTRAN無線基地局２１０が、RRC Connection Reject with Redirectionの送信を抑制する。
【００７５】
≪    機能    ≫
図１０は、本発明の変形例における無線通信システム１に含まれる、E-UTRAN無線基地局２１０の機能ブロック図である。図１０のE-UTRAN無線基地局２１０は、UTRAを用いた接続を行うようダイレクション指示を送信したが、UTRAによる接続が失敗したとき、再度接続を試みた移動機に対して、再度のリダイレクションの指示を送信しない。
【００７６】
図１０に示すように、E-UTRAN無線基地局２１０は、通信部２１１と、通信部２１３と、制御部２１５と、格納部２１７と、管理部２１８とを備える。
【００７７】
通信部２１１は、E-UTRAN対向パケット交換機４０を介した通信を実行するための通信インタフェースを提供する。
【００７８】
通信部２１３は、移動機３００との通信を実行するための通信インタフェースを提供する。
【００７９】
格納部２１７は、制御部２１５から受け取ったユーザ識別子を、リダイレクション（RRC Connection Reject with Redirection）抑止対象（以下、「抑止対象」とする）として格納する。
【００８０】
管理部２１８は、格納部２１７に、抑止対象としてユーザ識別子が格納されると、当該ユーザ識別子用に一定時間のタイマを始動する。そして、管理部２１８は、タイマ満了時、すなわち、一定時間の経過した後に、抑止対象としての当該ユーザ識別子を削除する。
【００８１】
制御部２１５は、移動機３００とコアネットワーク間でなされる通信制御、及び、E-UTRAを用いた無線通信を実行する移動機３００に対し、UTRAを用いた無線通信を実行するよう指示するRAT切替制御を行う。
【００８２】
より具体的には、制御部２１５は、移動機３００から、パケット交換（PS）接続を要求するRRC Connection Requestを通信部２１３経由で受信すると、当該RRC Connection Requestに含まれるユーザ識別子が、格納部２１７に抑止対象として登録されているか確認する。そして、登録されていない場合、UTRANセル４１０のキャリア周波数へのリダイレクションを指示するため、RRC Connection Reject with Redirectionを、通信部２１３経由で移動機３００へ送信する。これにより、移動機３００に対して、UTRAを用いた無線通信を実行するRAT切替指示がなされる。
【００８３】
当該RAT切替指示を受けた移動機３００は、UTRAN１００経由で、UTRAN対向パケット交換機２０に、位置登録を試みる。ここで、移動機３００は、接続制御装置１１０から、E-UTRAを用いた無線通信を実行するようRAT切替指示が行われる可能性がある。当該RAT切替指示を受けた移動機３００は、E-UTRAN２００経由で位置登録を行う。
【００８４】
当該位置登録の手順において、E-UTRAN対向パケット交換機４０や回線交換機３０は、移動機３００に対して、テンポラリなユーザ識別子を割り当てる。E-UTRAN対向パケット交換機４０は、PS用のユーザ識別子を、回線交換機３０は、CS用のユーザ識別子を割り当てる。
【００８５】
ここで、移動機３００が、CS方式及びPS方式の両方式による接続が可能である場合、移動機３００のCombined位置登録時に、回線交換機３０が割り当てるCS用のユーザ識別子が、抑止対象としてE-UTRAN無線基地局２１０に通知される。このとき、CS用のユーザ識別子は、E-UTRAN対向パケット交換機２０を介して、回線交換機３０からE-UTRAN無線基地局２１０へ通知される。また、移動機３００には、E-UTRAN無線基地局２１０を透過して、CS用、PS用双方のユーザ識別子が通知される。
【００８６】
一方、移動機３００がPS方式でのみ接続可能である場合には、移動機３００のPS単独位置登録時に、パケット交換機４０が割り当てるPS用のユーザ識別子が、抑止対象としてE-UTRAN無線基地局２１０に通知される。また、移動機３００にも、E-UTRAN無線基地局２１０を介して、PS用のユーザ識別子が通知される。
【００８７】
なお、CS方式及びPS双方の契約を持つ移動機３００に対しては、パケット交換機４０はPS用のユーザ識別子を無線制御装置１１０へ通知しない（移動機３００へはE-UTRAN無線基地局２１０を透過して通知する）。PSのみの契約を持つ移動機３００に対しては、パケット交換機４０は、PS用のユーザ識別子をE-UTRAN無線基地局２１０へ通知する。これは、CS用、PS用双方のユーザ識別子が割り当てられた移動機３００は、UTRAのRRC Connection Requestにおいて、CS用のユーザ識別子を通知することに起因する。このようにすることで、CS及びPS双方の契約を持つ移動機３００に対してはCS用のユーザ識別子を、PSのみの契約を持つ移動機３００に対してはPS用のユーザ識別子を、E-UTRAN無線基地局２１０へ登録させることが可能となる。
【００８８】
制御部２１５は、E-UTRAN対向パケット交換機４０や、回線交換機３０から、移動機３００に対して割り当てられた一時的な識別子を、通信部２１１経由で受信する。そして、制御部２１５は、移動機３００を、RRC_Connected状態からRRC_IDLE状態へ遷移させる際に、格納部２１７に当該ユーザ識別子を格納する。
【００８９】
制御部２１５は、RRC_IDLE状態となった移動機３００から、再びPS接続を要求するRRC Connection Requestを通信部２１３経由で受信すると、当該RRC Connection Requestで通知されるユーザ識別子が、格納部２１７に抑止対象として登録されているか問い合わせる。そして、登録されている場合、リダイレクションの指示（RRC Connection Reject with Redirectionの送信）を行わず、E-UTRAを用いてPS接続を行う。
【００９０】
≪    動作例    ≫
図１１は、本発明の一実施形態におけるE-UTRAN無線基地局２１０が実行する、抑止対象管理処理の流れを示す図である。
【００９１】
まず、移動機３００は、E-UTRAN無線基地局２１０に、PS発信のRRC Connection Requestを通知する（ステップＳ７０１）。ここで、本実施例において、移動機３００は、CS及びPS双方の契約がなされている移動機である。当該RRC Connection Requestに対して、CS用ユーザ識別子Aが設定される。このCS用ユーザ識別子Aは、当該シーケンスよりも前の時点で、回線交換機３０から移動機３００へ、割り当てられたものである。また、移動機３００は、UTRA及びE-UTRA双方に対応した移動機である。
【００９２】
次に、PS発信のRRC Connection Requestを受信したE-UTRAN無線基地局２１０は、CS用ユーザ識別子Aが抑止対象として登録されているかを確認し（ステップＳ７０２）、登録されていないことを確認すると、移動機３００にRRC Connection Reject with Redirectionを送信する（ステップＳ７０３）。
【００９３】
UTRAへのRAT切替指示を受けた移動機３００は、UTRANへのRRC Connection設定及び位置登録を行う（ステップＳ７０４）。本実施例では、パケット接続先アドレス誤り等による接続拒否（位置登録Reject）により（ステップＳ７０５）、UTRAN無線基地局１２０と移動機３００との間のRRC Connectionも解放（切断）される。さらに、無線制御装置１１０から移動機３００に対して、E-UTRAへのRAT切替指示が行われる（ステップＳ７０６）。
【００９４】
E-UTRAへのRAT切替指示を受けた移動機３００は、E-UTRANへのRRC Connection設定を行った後、再度、RRC Connection Requestを、E-UTRAN無線基地局２１０に送信し（ステップＳ７０７）、位置登録等の処理を行う（Ｓ７０８）。ここで、E-UTRAN無線基地局２１０は、位置登録のRRC Connection Requestに対して、RRC Connection Reject with Redirectionを実施しない。位置登録手順において、E-UTRAN対向パケット交換機２１０は、E-UTRAN対向パケット交換機４０を介して、回線交換機３０から新たに払い出されたCS用ユーザ識別子Bを受けとる（ステップＳ７０９、Ｓ７１０）。
【００９５】
そして、E-UTRAN無線基地局２１０は、RRC Connection解放と同時又は直後に、CS用ユーザ識別子Bを、抑止対象として登録し、タイマ設定する（ステップＳ７１１）。
【００９６】
その後、移動機３００は、E-UTRAN無線基地局２１０に、再び、PS発信のRRC Connection Requestを通知する（ステップＳ７１２）。当該RRC Connection Requestには、CS用ユーザ識別子Bが設定される。RRC Connection Requestを受信したE-UTRAN無線基地局２１０は、RRC Connection Setupを実行した後（ステップＳ７１３、Ｓ７１４）、CS用ユーザ識別子Bが抑止対象として登録されているかを確認する（ステップＳ７１５）。そして、登録されていることを確認すると、移動機３００へRRC Connection Reject with Redirectionを実施せず、E-UTRAを用いてのPS発信手順を実施する（ステップＳ７１６）。
【００９７】
図１２は、本発明の一実施形態におけるE-UTRAN無線基地局２１０が実行する、抑止対象管理処理の流れを示す図である。  
まず、E-UTRAN無線基地局２１０の通信部２１１は、E-UTRAN対向パケット交換機４０から通知されるユーザ識別子を受信する（ステップＳ８０１）。  
次に、E-UTRAN無線基地局２１０の制御部２１５は、RRC Connection解放時に、ステップＳ８０１で受信したユーザ識別子を、抑止対象として格納部２１７に登録する（ステップＳ８０２）
次に、E-UTRAN無線基地局２１０の管理部２１８は、制御部２１５からの指示に応じて、ステップＳ８０２で登録した抑止対象のユーザ識別子に対し、タイマを設定する（ステップＳ８０３）。  
次に、E-UTRAN無線基地局２１０の管理部２１８は、ステップＳ８０３で設定したタイマが満了したかどうかを監視し、タイマが満了している場合に、ステップＳ８０５に進む。そうでない場合には、監視を継続する（ステップＳ８０４）。  
そして、E-UTRAN無線基地局２１０の管理部２１８は、ステップＳ８０２で登録したユーザ識別子を、抑止対象から削除する（ステップＳ８０５）。
【００９８】
図１３は、本発明の一実施形態におけるE-UTRAN無線基地局２１０が実行する、パケット交換（PS）接続処理の流れを示す図である。  
まず、E-UTRAN無線基地局２１０の通信部２１３は、E-UTRA及びUTRA双方に対応した移動機３００から、PS接続を要求するRRC Connection Request信号を受信する（ステップＳ９０１）。  
次に、E-UTRAN無線基地局２１０の制御部２１５は、RRC Connection Requestで通知されるユーザ識別子が、抑止対象として登録されているか確認する（ステップＳ９０２）。
【００９９】
ステップＳ９０２の確認の結果，ステップＳ９０１で通知されたユーザ識別子が、抑止対象として登録されている場合には、ステップＳ９０４に進み，そうでない場合には、ステップＳ９０５に進む（ステップＳ９０３）。  
そして、E-UTRAN無線基地局２１０の制御部２１５は、RRC Connection Reject with Redirectionを抑止し、移動機３００に対してE-UTRAを用いてPS接続を実施する（ステップＳ９０４）。  
また、E-UTRAN無線基地局２１０の制御部２１５は、移動機３００に対して、RRC Connection Reject with Redirectionを実施し、UTRAへRAT切替を指示する（ステップＳ９０５）。
【０１００】
以上のように、本発明の一実施形態に係るE-UTRAN無線基地局２１０は、RRC Connection Reject with RedirectionによりE-UTRAへRAT切替指示後に、同一移動機に対するRRC Connection Reject with Redirectionを一定時間抑止することができる。その結果、パケット交換（PS）接続の失敗が繰り返される事象を回避することができる。
【０１０１】
なお、図１３のステップＳ９０４において、E-UTRAN無線基地局２１０は、接続数制限等により、PS接続を実施できない場合には、一定時間待機する等の処理を行ってもよい。これにより、即座にRRC Connection Reject with Redirectionが実行されず、パケット交換（PS）接続の失敗が繰り返される頻度を抑えることができる。
【符号の説明】
【０１０２】
１  無線通信システム
１０  コアネットワーク
２０  UTRAN対向パケット交換機
３０  回線交換機
４０  E-UTRAN対向パケット交換機
１００  UTRAN
１１０  無線制御装置
１２０  UTRAN無線基地局
２００  E-UTRAN
２１０  E-UTRAN無線基地局
３００  移動機
４００  セクタ
４１０  UTRANセル
４２０  E-UTRANセル
１１１、１１３  通信部
１１５  制御部
１１７  格納部
【要約】
【課題】無線アクセスネットワーク間におけるリダイレクションの指示を効率的に制限できるようにすることを目的とする。
【解決手段】
移動通信端末のネットワークへの接続を制御し、該ネットワークと異なる他のネットワークへのリダイレクションの指示を行う無線制御装置が実行する無線制御方法であって、前記移動通信端末が接続状態となった場合に割り当てられる識別子を、前記リダイレクションの指示の抑止対象として登録する登録段階と、前記識別子が抑止対象として登録されてから所定の時間が経過したとき、該識別子の抑止対象としての登録を削除する削除段階と、抑止対象として登録されている前記識別子を有する移動通信端末からの前記ネットワークへの接続要求を受け入れる接続段階と、抑止対象として登録されていない前記識別子を有する移動通信端末からの前記ネットワークへの接続要求に対し、前記リダイレクションの指示を行う指示段階と、を有する、無線制御方法を提供する。
【選択図】図２【図１】
0005580916.tif 000002
【図２】
0005580916.tif 000003
【図３】
0005580916.tif 000004
【図４】
0005580916.tif 000005
【図５】
0005580916.tif 000006
【図６】
0005580916.tif 000007
【図７】
0005580916.tif 000008
【図８】
0005580916.tif 000009
【図９】
0005580916.tif 000010
【図１０】
0005580916.tif 000011
【図１１】
0005580916.tif 000012
【図１２】
0005580916.tif 000013
【図１３】
0005580916.tif 000014